(57)【要約】      （修正有）【課題】大規模な仕掛け花火に相当する着色焔を発生できる着色焔発生装置を提供すること。【解決手段】少なくとも２段の燃料保持棒１０と、燃料保持棒１０を着色焔の高さｈｆより定まる所定間隔ｄで保持する保持部材２０と、燃料保持棒１０の長手方向に配置された、所定形状の着色焔用燃料の収容ユニット３０を複数備え、燃料保持棒１０の各段毎に、異なる色味の着色焔用燃料を用いる構成としている。【効果】着色焔発生が帯状に横縞模様に発生するので、見学者にとって印象的な着色焔が発生でき、屋外・室内を問わず会場内の雰囲気を華やかなものとすることができる。【選択図】図１
2006300379.tif 000002
【特許請求の範囲】
【請求項１】
少なくとも２段の燃料保持棒と、
前記燃料保持棒を、着色焔の高さより定まる所定間隔で保持する保持部材と、
前記燃料保持棒の長手方向に配置された、着色焔用燃料の収容ユニットを複数備え、
前記燃料保持棒の各段毎に、異なる色味の着色焔用燃料を用いることを特徴とする着色焔発生装置。
【請求項２】
請求項１に記載の着色焔発生装置であって、
前記燃料保持棒の各段毎に設けられた、前記着色焔用燃料の収容ユニットでの同時着火を行う導火線を有することを特徴とする着色焔発生装置。
【請求項３】
請求項１に記載の着色焔発生装置であって、
前記燃料保持棒は６段であり、
前記保持部材は、前記燃料保持棒を前列３段、後列３段であって、前列と後列とで互いに交互に装着し、前列各段の燃料保持棒を前記着色焔の高さより定まる所定間隔で保持すると共に、後列各段の燃料保持棒を前記着色焔の高さより定まる所定間隔で保持し、
前記燃料保持棒には、赤、橙、黄、緑、青、藍、紫の７色のうちから選択された６色を当該順序で発色するように、前記燃料保持棒の各段毎に対応する色の着色焔用燃料を用いることを特徴とする着色焔発生装置。
【請求項４】
少なくとも２段の燃料保持棒と、
前記燃料保持棒を、着色焔の高さより定まる所定間隔で保持する保持部材と、
前記燃料保持棒の長手方向に配置された、着色焔用燃料の収容ユニットを複数備え、
所定の色彩配置を形成するように、前記収容ユニットに用いる着色焔用燃料の色味を、前記燃料保持棒の段位置、及び燃料保持棒の長手方向の位置に応じて選択して用いることを特徴とする着色焔発生装置。
【請求項５】
請求項１乃至請求項４の何れか１項に記載の着色焔発生装置に用いられる着色焔用燃料の収容ユニットであって、
前記燃料保持棒に装着される装着部と、
前記着色焔用燃料を収容する容器部と、
を備える着色焔用燃料の収容ユニット。
【請求項６】
請求項１乃至請求項４の何れか１項に記載の着色焔発生装置に用いられる着色焔用燃料の収容ユニットであって、
前記燃料保持棒の断面方向に適宜の間隔で装着される仕切り部を有し、
前記仕切り部を用いて前記着色焔用燃料を収容する燃料収容室を形成すると共に、
前記燃料保持棒に形成された燃料収容室間で高低差を生じるように、前記燃料保持棒を保持し又は湾曲形状に形成し、
前記燃料保持棒で生じた高低差のうち最も高い燃料収容室に前記着色焔用燃料を供給し、前記燃料収容室間で生じた高低差によって着色焔用燃料を低い側の燃料収容室に供給する構造としたことを特徴とする着色焔用燃料の収容ユニット。
【請求項７】
少なくとも２段の燃料保持棒と、前記燃料保持棒を着色焔の高さより定まる所定間隔で保持する保持部材と、前記燃料保持棒の長手方向に配置された、着色焔用燃料の収容ユニットを複数備える着色焔発生装置について、
所定の色彩配置を形成するように、前記収容ユニットに用いる着色焔用燃料の色味を、前記燃料保持棒の段位置、及び燃料保持棒の長手方向の位置に応じて選択し、
前記収容ユニットの着色焔用燃料を点火し、
前記収容ユニットで生じる着色焔によって、前記所定の色彩配置を表現することを特徴とする着色焔発生装置の使用方法。
【請求項８】
少なくとも２本の灯火保持縦棒と、
前記灯火保持縦棒を、着色焔の幅より定まる所定間隔で保持するベース部材と、
前記灯火保持縦棒の段方向に、前記着色焔の高さより定まる所定間隔で配置された、着色焔用燃料の複数の収容ユニットを備え、
前記灯火保持縦棒の段位置及び灯火保持縦棒のベース部材装着位置に応じて、異なる色味の着色焔用燃料を用いることを特徴とする着色焔発生装置。
【請求項９】
少なくとも２本の灯火保持縦棒と、前記灯火保持縦棒を着色焔の幅さより定まる所定間隔で保持するベース部材と、前記灯火保持縦棒の段方向に前記着色焔の高さより定まる所定間隔で配置された、着色焔用燃料の複数の収容ユニットを備え着色焔発生装置について、
所定の色彩配置を形成するように、前記収容ユニットに用いる着色焔用燃料の色味を、前記灯火保持縦棒の段位置及び灯火保持縦棒のベース部材装着位置に応じて選択し、
前記選択に応じた色味の着色焔用燃料の前記収容ユニットを、前記灯火保持縦棒の段位置及び灯火保持縦棒のベース部材装着位置に応じて取付け、
前記収容ユニットの着色焔用燃料を点火し、
前記収容ユニットで生じる着色焔によって、前記所定の色彩配置を表現することを特徴とする着色焔発生装置の使用方法。
【請求項１０】
ベース部、茎部、葉部、および花部を有する着色焔発生装置であって、
前記ベース部または前記茎部に装着される前記葉部に、着色焔の幅と高さより定まる所定間隔で収容ユニットを複数装着し、
前記茎部の少なくとも先端に装着される前記花部に、着色焔の幅と高さより定まる所定間隔で収容ユニットを複数装着し、
前記葉部に装着される収容ユニットには、葉に対応した色彩の着色焔を発生させ、
前記花部に装着される収容ユニットには、花に対応した色彩の着色焔を発生させることを特徴とする着色焔発生装置。
【発明の詳細な説明】
【技術分野】
【０００１】
本発明は、花火会場やスキー場等の屋外イベント等、仕掛け花火に相当する比較的大型の仕掛けに用いて好適な、着色焔発生装置に関する。また、本発明は、各種室内で開催されるパーティー会場、結婚披露宴会場、告別式等を開催する葬儀場等、仕掛け花火に比較して小型の仕掛けに用いて好適な、着色焔発生装置に関する。
【背景技術】
【０００２】
従来より、夏の川開きや湖水開き等の催事では、いわゆる仕掛け花火が用いられている。仕掛け花火としては、小さな光を連接して、例えば、花やナイアガラの瀑布等を現す、いわゆる枠仕掛けが代表的である。しかし、従来の仕掛け花火を用いた場合は、以下の二つの課題が生じる。即ち、第１の課題として、風向きによっては、色火にともなって発生する煙によって仕掛け花火が遮られ、観客の花火鑑賞の邪魔となる事態の発生が発生することである。第２の課題として、仕掛け花火の鑑賞時間を長くすることが困難であることである。
【０００３】
そこで、本出願人は、特許文献１に記載されているように、所定パターン形状に無煙液体燃料を噴霧して、当該液体燃料を燃焼させて所定形状の色火が発生する仕掛け花火用色火発生装置を提案している。この仕掛け花火用色火発生装置によると、上記の２個の課題が解決される。
【０００４】
また、例えば、結婚披露宴会場やクリスマスパーティー会場では、荘厳で華やかな雰囲気が醸し出されるように、例えば新郎新婦が各テーブルを回って、各テーブル上のロウソクに点火するキャンドルサービスや、ケーキカット等のイベントがなされることが多い。その際、余興として花火を用いた演出により、会場をより一層華やかなものとすることがある。さらに、葬儀場においても、祭壇に灯火を燈すことによって、弔意を表示したり、あるいは爆竹をならして生前の危難を死後に引きずらないように、盛大な葬儀を執り行うこともある。
【０００５】
そこで、本出願人は、特許文献２に記載されているように、無煙火薬・炎色剤・微粒状の火花発生用金属粉を用いた室内装飾用花火を提案している。これによると、従来の花火を用いた場合に、火薬の燃焼に伴って大量の煙が発生したり、燃え滓が床面やテーブルなどに落下して会場を汚してしまう課題があったが、特許文献２に記載の室内装飾用花火により防止できる。
【０００６】
【特許文献１】特開２０００−７４５９９公報
【特許文献２】特開２０００−１４６４９７号公報
【発明の開示】
【発明が解決しようとする課題】
【０００７】
しかし、特許文献１に記載の仕掛け花火用色火発生装置では、吹出しノズルを用いて無煙液体燃料（メタノールと炎色材の混合液）を噴霧しているので、大規模な仕掛け花火では大型の吹出しノズルを設置するか、小型の吹出しノズルを多数設置する必要が生じて、設備価格が高騰すると言う課題があった。特に、大型の吹出しノズルの場合には、焔の形状制御が困難になるという課題を生ずる。他方、小型の吹出しノズルを多数設置する場合には、焔の形状制御は比較的容易となるが、各吹出しノズルから噴霧される無煙液体燃料を同期して着火することは、屋外作業に習熟している花火師にとっても、煩雑な作業になるという課題があった。
【０００８】
他方、特許文献２に記載の室内装飾用花火は、無煙火薬を用いている為、演出を担当する催事業者について、火薬取扱いの熟練が必要となる。また、無煙火薬は燃焼時間の制御が困難であり、無煙火薬の製作時に予定された以外の燃焼時間や色にできないという課題がある。そこで、演出の要請で、例えば伴奏音楽に合わせた燃焼時間や色彩の組合せとすることが困難で、催事業者による臨機応変な演出が困難になるという課題があった。
【０００９】
本発明は上述した課題を解決したもので、第１の目的は、大規模な仕掛け花火に相当する着色焔を発生できる着色焔発生装置を提供することである。第２の目的は、着色焔を大規模な仕掛け全体にわたって同時に着火できる着色焔発生装置を提供することである。第３の目的は、催事業者による臨機応変な演出に対処できる着色焔発生装置を提供することである。
【課題を解決するための手段】
【００１０】
本発明の着色焔発生装置は第１の目的を達成するもので、例えば図１及び図４に示すように、少なくとも２段の燃料保持棒１０と、燃料保持棒１０を、着色焔の高さｈｆより定まる所定間隔ｄで保持する保持部材２０と、燃料保持棒１０の長手方向に配置された、着色焔用燃料の収容ユニット３０を複数備えている。そして、燃料保持棒１０の各段毎に、異なる色味の着色焔用燃料を用いる構成としている。
【００１１】
このように構成された本発明の着色焔発生装置によれば、燃料保持棒１０の長手方向には、着色焔用燃料の収容ユニット３０がその長さＬに応じて複数個配置されている。保持部材２０は、燃料保持棒１０を着色焔の高さｈｆより定まる所定間隔ｄで保持している。この所定間隔ｄは、例えば下段の燃料保持棒１０の収容ユニット３０で着色焔用燃料により着色焔が発生しても、その焔によって上段の燃料保持棒１０の収容ユニット３０が加熱される事態が防止できる程度に選定する。そして、燃料保持棒１０の各段毎に設けられた着色焔用燃料の収容ユニット３０は、各段毎に異なる色味の着色焔用燃料を用いる構成としているので、各収容ユニット３０に対する着色焔用燃料は、単一の燃料保持棒１０について同じ種類となる。
【００１２】
好ましくは、第２の目的を達成する為に、例えば図３に示すように、本発明の着色焔発生装置において、燃料保持棒１０の各段毎に設けられた、前記着色焔用燃料の収容ユニット３０での同時着火を行う導火線４０を有する構成とするとよい。このような構成によると、燃料保持棒１０の各段毎に設けられた多数の着色焔用燃料の収容ユニット３０について、導火線４０に点火することにより同時に点火でき、着色焔発生装置の点火作業が簡便になる。
【００１３】
好ましくは、本発明の着色焔発生装置において、例えば図１及び図４に示すように、燃料保持棒１０は６段であり、保持部材２０は、燃料保持棒１０を前列３段、後列３段であって、前列と後列とで互いに交互に装着し、前列各段の燃料保持棒（１０ａ、１０ｃ、１０ｅ）を前記着色焔の高さｈｆより定まる所定間隔ｄで保持すると共に、後列各段の燃料保持棒（１０ｂ、１０ｄ、１０ｆ）を前記着色焔の高さｈｆより定まる所定間隔ｄで保持し、燃料保持棒１０には、赤、橙、黄、緑、青、藍、紫の７色のうちから選択された６色を当該順序で発色するように、燃料保持棒１０の各段毎に着色焔用燃料を用いる構成とするとよい。
【００１４】
本発明の着色焔発生装置は第３の目的を達成するもので、例えば図１及び図４に示すように、少なくとも２段の燃料保持棒１０と、燃料保持棒１０を、着色焔の高さｈｆより定まる所定間隔ｄで保持する保持部材２０と、燃料保持棒１０の長手方向に配置された、着色焔用燃料の収容ユニット３０を複数備えている。そして、所定の色彩配置を形成するように、収容ユニット３０に用いる着色焔用燃料の色味を、燃料保持棒１０の段位置、及び燃料保持棒１０の長手方向の位置に応じて選択して用いる構成としている。
【００１５】
本発明の着色焔用燃料の収容ユニットは、例えば図１に示すような、着色焔発生装置に用いられるものであって、例えば図２に示すように、燃料保持棒１０に装着される装着部３３と、着色焔用燃料を収容する容器部３１とを備えている。
【００１６】
本発明の着色焔用燃料の収容ユニットは、例えば図１に示すような、着色焔発生装置に用いられるものであって、例えば図７に示すように、燃料保持棒１０の断面方向に適宜の間隔（Ｄ１）で装着される仕切り部１７と、仕切り部１７を用いて前記着色焔用燃料を収容する燃料収容室を形成している。そして、燃料保持棒１０に形成された燃料収容室間で高低差を生じるように、燃料保持棒１０を保持し又は湾曲形状に形成し、燃料保持棒１０で生じた高低差のうち最も高い燃料収容室に前記着色焔用燃料を供給し、前記燃料収容室間で生じた高低差によって着色焔用燃料を低い側の燃料収容室に供給する構造としたものである。
【００１７】
本方法発明は、例えば図１及び図４に示すような、少なくとも２段の燃料保持棒１０と、燃料保持棒１０を、着色焔の高さｈｆより定まる所定間隔ｄで保持する保持部材２０と、燃料保持棒１０の長手方向に配置された、着色焔用燃料の収容ユニット３０を複数備える着色焔発生装置の使用方法である。即ち、例えば図６に示すように、所定の色彩配置を形成するように、収容ユニット３０に用いる着色焔用燃料の色味を、燃料保持棒１０の段位置、及び燃料保持棒の長手方向の位置に応じて選択し（Ｓ３２）、収容ユニット３０の着色焔用燃料を点火し（Ｓ１４）、収容ユニット３０で生じる着色焔によって、前記所定の色彩配置を表現する（Ｓ１６）。
【００１８】
本発明の着色焔発生装置は第１の目的を達成するもので、例えば図８に示すように、少なくとも２本の灯火保持縦棒６０と、灯火保持縦棒６０を着色焔の幅より定まる所定間隔で保持するベース部材５０と、灯火保持縦棒６０の段方向に、前記着色焔の高さより定まる所定間隔で配置された、着色焔用燃料の収容ユニット７０を複数備え、灯火保持縦棒６０の段位置及び灯火保持縦棒６０のベース部材５０装着位置に応じて、異なる色味の着色焔用燃料を用いることを特徴としている。
【００１９】
本方法発明は、例えば図８に示すような、少なくとも２本の灯火保持縦棒６０と、前記灯火保持縦棒を着色焔の幅さより定まる所定間隔で保持するベース部材５０と、前記灯火保持縦棒の段方向に前記着色焔の高さより定まる所定間隔で配置された、着色焔用燃料の複数の収容ユニット７０を備え着色焔発生装置の使用方法である。即ち、例えば図９に示すように、所定の色彩配置を形成するように、収容ユニット７０に用いる着色焔用燃料の色味を、灯火保持縦棒６０の段位置及び灯火保持縦棒６０のベース部材５０装着位置に応じて選択し（Ｓ１３２）、選択に応じた色味の着色焔用燃料の収容ユニット７０を、灯火保持縦棒６０の段位置及び灯火保持縦棒６０のベース部材５０装着位置に応じて取付け（Ｓ１１２）、収容ユニット７０の着色焔用燃料を点火し（Ｓ１１４）、収容ユニット７０で生じる着色焔によって、前記所定の色彩配置を表現する（Ｓ１１６）。
【００２０】
本発明の着色焔発生装置は第１の目的を達成するもので、例えば図１０（Ａ）に示すように、ベース部５２、茎部６２、葉部（６４、６５）、および花部６６を有する着色焔発生装置であって、ベース部５２または茎部６２に装着される葉部（６４、６５）に、着色焔７２２の幅と高さより定まる所定間隔で収容ユニット７０２を複数装着し、茎部６２の少なくとも先端に装着される花部６６に、着色焔７２４の幅と高さより定まる所定間隔で収容ユニット７０４を複数装着する。そして、葉部（６４、６５）に装着される収容ユニット７０２には、葉に対応した色彩の着色焔７２２を発生させ、花部６６に装着される収容ユニット７０４には、花に対応した色彩の着色焔を発生させることを特徴としている。
【発明の効果】
【００２１】
請求項１に記載の本発明の着色焔発生装置によれば、燃料保持棒の各段毎に、異なる色味の着色焔用燃料を用いる構成としているので、各収容ユニットに対する着色焔用燃料は、単一の燃料保持棒について同じ種類となり、着色焔発生が帯状に横縞模様に発生するので、見学者にとって印象的な着色焔が発生でき、屋外・室内を問わず会場内の雰囲気を華やかなものとすることができる。
【００２２】
請求項４に記載の本発明の着色焔発生装置によれば、燃料保持棒の段位置、及び燃料保持棒の長手方向の位置に応じて、異なる色味の着色焔用燃料を用いる構成としているので、演出者が自由な発想で色模様を発案しても、これに対応する色模様の段位置と長手方向位置の各収容ユニットに対応する着色焔用燃料を用いることで、着色焔発生が自在に模様表現でき、見学者にとって印象的な着色焔が発生できる。
【００２３】
請求項５に記載の、本発明の着色焔用燃料の収容ユニットによれば、燃料保持棒に装着される装着部と、着色焔用燃料を収容する容器部とを備える構造となっているので、燃料保持棒の構造として、例えば断面コの字状等の比較的軽量化されたものを採用でき、着色焔発生装置の軽量化にも寄与する。また、着色焔の発生時間に応じて、容器部に供給する着色焔用燃料の量を調整でき、演出に対応して柔軟に着色焔を発生できる。また、微細な模様を着色焔で発生させる場合には、より小型の容器部を用いることで対処できる。
【００２４】
請求項６に記載の、本発明の着色焔用燃料の収容ユニットによれば、燃料保持棒の断面方向に適宜の間隔で装着される仕切り部を用いて、着色焔用燃料を収容する燃料収容室を形成すると共に、燃料保持棒に形成された燃料収容室間で高低差を生じるように、前記燃料保持棒を保持し又は湾曲形状に形成してある。そこで、燃料保持棒で生じた高低差のうち最も高い燃料収容室に着色焔用燃料を供給し、燃料収容室間で生じた高低差によって着色焔用燃料を低い側の燃料収容室に供給する構造とした為、着色焔発生装置の作業者が最も高い燃料収容室に着色焔用燃料を供給すれば、適宜下流の燃料収容室に着色焔用燃料を供給でき、着色焔用燃料の供給作業が円滑化される。
【００２５】
請求項８に記載の本発明の着色焔発生装置によれば、灯火保持縦棒の段位置及び灯火保持縦棒のベース部材装着位置に応じて、収容ユニットに異なる色味の着色焔用燃料を用いる構成としているので、演出者が自由な発想で色模様を発案しても、これに対応する灯火保持縦棒の段位置、及び灯火保持縦棒のベース部材装着位置の各収容ユニットに対する対応する着色焔用燃料を用いることで、着色焔発生が自在に模様表現でき、見学者にとって印象的な着色焔が発生できる。また、灯火保持縦棒の段位置で用いる着色焔用燃料を各灯火保持縦棒で共通にすると、着色焔によって帯状に横縞模様が発生するので、見学者にとって印象的な着色焔が発生でき、屋外・室内を問わず会場内の雰囲気を華やかなものとすることができる。
【００２６】
請求項１０に記載の本発明の着色焔発生装置によれば、葉部に装着される収容ユニットには、葉に対応した色彩の着色焔を発生させ、花部に装着される収容ユニットには、花に対応した色彩の着色焔を発生させる構造としているので、チューリップや菊などの各種の花の形状に類似した模様表現ができるので、見学者にとって印象的な着色焔が発生できる。そこで、屋外・室内を問わず会場内の雰囲気を華やかなものとすることができる。
【発明を実施するための最良の形態】
【００２７】
以下、図面を用いて本発明の着色焔発生装置を説明する。
図１は本発明の第１の実施形態を説明する着色焔発生装置の全体構成図で、（Ａ）は正面図、（Ｂ）は図１（Ａ）のＢ−Ｂにおける側面図を表している。図において、屋外用の着色焔発生装置は、幅Ｌが４ｍ程度、高さＨが２ｍ程度、幅Ｗが０．３ｍ程度で、例えばトラックによる陸上貨物輸送が簡便に行える形状とする。なお、屋内用の着色焔発生装置では、幅Ｌが１〜２ｍ程度、高さＨが０．５〜１ｍ程度、幅Ｗが０．１〜０．２ｍ程度で、披露宴会場への搬入が簡便に行える形状とする。
【００２８】
ここでは、演出として虹色を着色焔にて表現する為、燃料保持棒１０は６段として、各段の燃料保持棒１０を１０ａ、１０ｂ、１０ｃ、１０ｄ、１０ｅ、１０ｆで表す。図４に示すように、最上段の燃料保持棒１０ａは赤色の焔１２ａ、第２段の燃料保持棒１０ｂは橙色の焔１２ｂ、第３段の燃料保持棒１０ｃは黄色の焔１２ｃ、第４段の燃料保持棒１０ｄは緑色の焔１２ｄ、第５段の燃料保持棒１０ｅは青色の焔１２ｅ、第６段の燃料保持棒１０ｆは紫色の焔１２ｆを発生する。なお、虹色は、赤、橙、黄、緑、青、藍、紫の７色であるから、論理的な完全性を求める場合には第５段と第６段の中間に燃料保持棒１０を設けて、藍色の焔を発色させると良い。ここでは、藍色の焔を発色させる炎色材は、他の６色の炎色材と比較して商業的に利用しにくいので、藍を除く６色で虹色を表現している。各燃料保持棒１０は、例えば凸のアーチ状に湾曲して形成されているが、例えば長手方向に真直ぐでもよく、また凹状に湾曲していてもよい。
【００２９】
保持部材２０は、燃料保持棒１０を前列３段、後列３段であって、前列と後列とで互いに交互に装着する（図１（Ｂ）参照）もので、左縦部材２１、右縦部材２２、中央縦部材２３、左斜め上部材２４、右斜め上部材２５を有している。各部材２１〜２５には、断面Ｌ字形やコの字形の部材を用いて、フレーム構造により構造的な強度を確保しつつ、軽量化を実現している。そして、保持部材２０は、前列各段の燃料保持棒１０ａ、１０ｃ、１０ｅを所定間隔ｄで保持すると共に、後列各段の燃料保持棒１０ｂ、１０ｄ、１０ｆを所定間隔ｄで保持している。また、左縦部材２１は、前列各段の燃料保持棒１０ａ、１０ｃ、１０ｅの表側に位置する前左縦部材２１ａ、後列各段の燃料保持棒１０ｂ、１０ｄ、１０ｆの裏側に位置する後左縦部材２１ｃ、及び前列と後列の燃料保持棒の中間に位置する中左縦部材２１ｂの三層構造になっている（図１（Ｂ）参照）。この前列と後列の燃料保持棒に応じた三層構造は、右縦部材２２、中央縦部材２３、左斜め上部材２４、右斜め上部材２５でも共通に採用することで、フレーム構造を強固なものにしている。
【００３０】
ここで、所定間隔ｄは、着色焔の高さｈｆより定まるもので、例えば下段の燃料保持棒１０における着色焔が発生しても、その焔によって上段の燃料保持棒１０が過熱する事態が防止できる程度の間隔を所定間隔ｄの下限側とする。そして、所定間隔ｄが、前段の燃料保持棒１０における着色焔の高さｈｆよりも大きい為に生じる隙間については、後段の燃料保持棒１０における着色焔によって補充されるような間隔が、所定間隔ｄの上限側として選定される。屋外の場合には、微風が吹いている場合が多いので、所定間隔ｄを着色焔の高さｈｆとほぼ同じ程度としても、上段の燃料保持棒１０が過熱して、着色焔用燃料の収容ユニット３０が着色焔用燃料の自然発火温度まで上昇することはない。
【００３１】
着色焔用燃料の収容ユニット３０は、燃料保持棒１０の長手方向に配置されるもので、ここでは図３に示すように、燃料保持棒１０の幅方向について一列に、長手方向で４０〜５０個取り付けられている。個別の収容ユニット３０の形状は、図２で一例を説明しているように、例えば直径９ｃｍ程度の杯形状でもよく、またビール瓶やワインボトルの円筒部分を用いても良い。
【００３２】
図２は着色焔用燃料の収容ユニットを説明する斜視図である。収容ユニット３０は、着色焔用燃料を収容する容器部３１と、燃料保持棒１０に装着される装着部３３を有している。容器部３１は、腐蝕性成分を含有する着色焔用燃料により腐蝕されない材料であって、加工性と耐熱性に優れた材料、例えばステンレス鋼等の耐熱性金属材料を用いる。ここでは、容器部３１は半球状に形成されており、開口部の直径Ｄは燃料保持棒１０の幅ｗと大略同一に形成されている。装着部３３は、収容ユニット３０を燃料保持棒１０の長手方向の所定位置に装着するための部材で、例えば容器部３１が取りつけられる水平板部３３ａ、燃料保持棒１０の高さ方向に対して容器部３１の開口面を位置合せするための脚部３３ｂ、及び水平板部３３ａと脚部３３ｂの剛性を高める補強部３３ｃを有している。収容ユニット３０の高さｈ１は、容器部３１と脚部３３ｂの形状により定まるもので、燃料保持棒１０の高さｈと大略同一に形成されている。
【００３３】
図３は、ある燃料保持棒に収容ユニットが装着された状態を説明する斜視図である。燃料保持棒１０の長さＬは、着色焔発生装置の幅Ｌに対応している。なお、着色焔発生装置の幅Ｌを大きく取ると共に、燃料保持棒１０の長さＬを陸上輸送から定まる大きさに限定する場合には、長手方向に燃料保持棒１０を複数つなぐように配置すれば良い。燃料保持棒１０は、例えば断面コの字状とし、幅ｗを例えば９ｃｍ程度、高さｈ１を例えば９ｃｍ程度とする。燃料保持棒１０の材料は、腐蝕性成分を含有する着色焔用燃料により腐蝕されない材料であって、加工性と耐熱性に優れた材料、例えばステンレス鋼等の構造用耐食性金属材料を用いる。
【００３４】
導火線４０は、ある燃料保持棒１０の長手方向に配置された収容ユニット３０を同時に点火する為に用いられるもので、例えば炭素繊維やガラス繊維を用いるとよい。炭素繊維は、例えば、本出願人の提案に掛かる特開平８−１２１７１４号公報に開示されている。炭素繊維は毛管現象によって着色焔用燃料を吸い上げているので、点火のための導火線４０として優れている。
【００３５】
次に、このように構成された着色焔発生装置の使用状態を説明する。図４は、図１の装置により着色焔が発生している状態を説明する図で、（Ａ）は正面図、（Ｂ）は図４（Ａ）のＢ−Ｂにおける側面図を表している。図において、最上段の燃料保持棒１０ａには、赤色焔１２ａを発生するように、着色焔用燃料としてアルコール（メチルアルコール）に塩化リチウム（又は塩化ストロンチウム）を炎色剤として添加した物を用いる。第２段の燃料保持棒１０ｂには、橙色焔１２ｂを発生するように、着色焔用燃料としてアルコールに塩化カルシウムを炎色剤として添加した物を用いる。第３段の燃料保持棒１０ｃには、黄色焔１２ｃを発生するように、着色焔用燃料としてアルコールに食塩を炎色剤として添加した物を用いる。第４段の燃料保持棒１０ｄには、緑色焔１２ｄを発生するように、着色焔用燃料としてアルコールに塩化バリウムを炎色剤として添加した物を用いる。第５段の燃料保持棒１０ｅには、青色焔１２ｅを発生するように、着色焔用燃料としてアルコールに酸化第二銅を炎色剤として添加した物を用いる。第６段の燃料保持棒１０ｆには、紫色焔１２ｆを発生するように、着色焔用燃料としてアルコールに塩化インジウムを炎色剤として添加した物を用いる。
【００３６】
図５は着色焔用燃料の収容ユニットで発生する着色焔の説明図で、（Ａ）は液面蒸発燃焼型、（Ｂ）は有芯燃焼型を示している。液面蒸発燃焼型では、収容ユニット３０が図２に示す半球型の開口部を有する場合には、容器部３１表面の着色焔用燃料の蒸発が、着色焔より発生する輻射熱により促進されて、より大きな焔の形成が行われる。
【００３７】
他方、有芯燃焼型では、例えば図５（Ｂ）に示すように、収容ユニットは、芯３４と覆い部１３を有している。芯３４は、収容ユニットの着色焔用燃料を毛管現象により吸い上げるもので、ガラス繊維や炭素繊維で形成されている。覆い部１３は、容器部３１表面の開口部を覆うもので、併せて芯３４の姿勢を一定に保持する。覆い部１３は、容器部３１表面の全面を覆うことで着色焔用燃料が外部に蒸発によって洩れない構造とするのがよく、また芯３４から着色焔用燃料を吸い上げる分については許容する。好ましくは、容器部３１表面の大部分を覆う構造であって、芯３４の付近は姿勢を保持するように胴体部分を設けてもよい。
【００３８】
覆い部１３は、芯３４で形成される着色焔より発生する輻射熱が容器部３１表面より透過して着色焔用燃料に伝わるように、赤外線を透過する材料とするとよい。すると、着色焔用燃料の芯３４での吸い上げが、着色焔より発生する輻射熱により促進されて、より大きな焔の形成が行われる。また、着色焔用燃料がロウのような固形物である場合には、着色焔より発生する輻射熱により、容器部３１表面の着色焔用燃料が融解して、毛管現象等により芯に供給されて蒸発し、着色焔に対する着色焔用燃料の供給が行なわれて、焔の形成が行われる。そこで、有芯燃焼型の場合には、着色焔用燃料としてロウソクのような固形燃料を用いることが可能となる。
【００３９】
図５（Ａ）に示すように、収容ユニットで発生する着色焔は、容器部３１表面からの着色焔の高さｈｆであるが、容器部３１表面の着色焔用燃料が蒸発する関係で、着色焔の未形成高さｈ０が存在する。この着色焔の未形成高さｈ０は、例えば開口部の直径Ｄの半分程度である。そこで、図４（Ｂ）に示すように、観客にとって、この着色焔１２の未形成高さｈ０や前列３段の燃料保持棒１０の存在が気にならないように、後列３段の燃料保持棒１０の配置を前列３段に対して交互としている。
【００４０】
次に、このように構成された着色焔発生装置の使用手順を説明する。図６は、図１の着色焔発生装置の使用手順を説明する流れ図である。ここでは、収容ユニット３０として、図２や図５（Ａ）に示す液面蒸発燃焼型を念頭に置いて説明する。まず、着色焔発生装置を屋外催事会場や室内イベント会場に設置する（Ｓ１０）。他方、演出者が着色焔により発生させる色彩配置を定めてある（Ｓ３０）。そこで、Ｓ３０で定められた所定の色彩配置を形成するように、収容ユニット３０に用いる着色焔用燃料の色味を、燃料保持棒１０の段位置、及び燃料保持棒の長手方向の位置に応じて選択する（Ｓ３２）。
【００４１】
そして、作業者は、燃料保持棒１０の段位置と長手方向の位置から定まる収容ユニット３０に、Ｓ３２の選択に応じた色味の着色焔用燃料を供給する（Ｓ１２）。例えば、虹色を表現する場合には、赤、橙、黄、緑、青、紫に対応する着色焔用燃料を、燃料保持棒１０の段位置に応じて供給する。そして、収容ユニット３０に供給された着色焔用燃料を点火する（Ｓ１４）。この場合、点火を各段で同時に行うために導火線４０を用いると良い。そして、収容ユニット３０で生じる着色焔によって、Ｓ３０で定められた色彩配置を表現する（Ｓ１６）。そして、着色焔による発光を継続するか判断し（Ｓ１８）、継続する必要がなければ、各収容ユニット３０の着色焔を消火し（Ｓ２０）、今回の演出を終了する。
【００４２】
以下の工程は、収容ユニット３０が図２に示すような開口部を有する形状の場合には、着色焔用燃料の追加の際に引火の危険があるため、省くのが良い。しかし、収容ユニット３０が、図５（Ｂ）に示すように、着色焔用燃料が蒸発により外部に洩れない構造とすると共に、別途燃料供給管を有する構造の場合には、以下の工程を追加することができる。即ち、Ｓ１８で継続する場合に、焔の形状により各収容ユニット３０に着色焔用燃料の追加が必要か判断し（Ｓ２２）、不足であれば該当する収容ユニット３０に着色焔用燃料を追加する（Ｓ２４）。そして、Ｓ２２で着色焔用燃料の追加不用の場合と、Ｓ２４で追加された場合には、Ｓ１６に戻って着色焔による演出を継続する。また、収容ユニット３０が、着色焔用燃料が蒸発により外部に洩れない構造の場合には、着色焔用燃料の供給には覆い部１３や蓋相当部分を開ける必要があるため、Ｓ１２の着色焔用燃料の供給が困難である。そこで、この場合には予め着色焔用燃料を充填してある収容ユニット３０を選択して、この燃料保持棒１０の段位置と長手方向の位置から定まる位置に、収容ユニット３０を装着するとよい。導火線４０は、この構造の収容ユニット３０に用いることができ、用いると点火を各段で同時に行うことができる。
【００４３】
図７は、本発明の第２の実施形態を説明する要部構成図で、（Ａ）は燃料保持棒の平面図、（Ｂ）は図７（Ａ）のＢ−Ｂ方向断面図、（Ｃ）は図７（Ａ）のＣ−Ｃ方向の要部斜視図を示している。第１の実施形態では、燃料保持棒１０と収容ユニット３０が分離して構造の為、着色焔用燃料の供給を個別の収容ユニット３０毎に行う必要があった。そこで、屋外用の演出では、着色焔用燃料の供給時間が演出上問題とされる場合があった。そこで、着色焔用燃料の供給が簡便に行えるように、第２の実施形態は第１の実施形態の着色焔発生装置を改良したもので、燃料保持棒と収容ユニットを一体化している。
【００４４】
燃料保持棒１０は、ここでは背面側の側板１４、正面側の側板１５、底板１６の断面コの字状の樋体が用いられており、材料はアルミ板、ジュラルミン、ステンレス鋼板等が用いられる。板厚ｔは、例えば０．２ｍｍ〜１ｍｍ程度の薄板とする。燃料保持棒１０の側板１４、１５は、弓状に湾曲した形状をしており、例えば長さＬ、側板高さｈ１は図３に示した寸法と同じ程度にする。底板１６の幅ｗも図３に示した寸法と同じ程度にする。燃料保持棒１０の湾曲形状は、図７（Ｂ）に示すように、側板１４、１５のベース部分からの高さはｈ２程度になっており、例えば側板高さｈ１に対して２〜５倍程度に定める。
【００４５】
燃料保持棒１０の断面方向に、仕切り板１７ａ、１７ｂ、…、１７ｍが順次一定間隔Ｄ１で設けられている。端面板１８は、燃料保持棒１０の断面方向の左右端部に設けられるものである。仕切り板１７と端面板１８は、例えば燃料保持棒１０の側板１４、１５、底板１６と同一材料を用いるとよく、板厚も同じ程度にするとよい。各仕切り板１７ａ、１７ｂ、…、１７ｍの設置間隔Ｄ１は、仕切り板１７がｎ枚であるとすると、次式で与えられる。
Ｄ１＝Ｌ／ｎ    （１）
【００４６】
各仕切り板１７は、図７（Ｃ）に示すように、高さｈ３、幅ｗ３の四辺形の平板部分を有する。各仕切り板１７の高さｈ３は、側板高さｈ１に比較して若干低くなっており、側板１４、１５に蓋板（図示せず）を装着した場合にも、着色焔用燃料が各仕切り板１７を挟んで形成された室間で、移動しうる空間が確保されている。各仕切り板１７は、背面側側板１４に当接する背面側縁１７１、底板１６に当接する底板縁１７２、正面側側板１５に当接する正面側縁１７３、および燃料保持棒１０の開口面に位置する頂部縁１７４を有している。背面側縁１７１、底板縁１７２、および正面側縁１７３は、当接する側板１４、１５、底板１６と接合されて、この当接部分からは隣接する室に着色焔用燃料が流失しないように構成されている。接合には、接着剤、溶接、充填材を用いた構造的嵌合などがある。
【００４７】
このように構成された燃料保持棒１０を用いた灯火の演出作業について説明する。作業者は、図７（Ｂ）に示すように、最も側板１４、１５のベース部分高さｈ２に近い、中央付近の仕切り板１７ｇ、１７ｈで形成された室（収容ユニット）に着色焔用燃料を供給する。すると、中央付近の仕切り板１７ｇ、１７ｈに左右に隣接する仕切り板１７ｆ、１７ｉには、高低差に基づいて、着色焔用燃料が左右に流れてゆく。このようにして、中央付近の仕切り板１７ｇ、１７ｈで形成された収容ユニットに着色焔用燃料を供給すると、左右に隣接する収容ユニットに着色焔用燃料が、順次カスケードに流れてゆく。すなわち、着色焔用燃料は下流側仕切り板１７ｆ→１７ｅ→…→１７ａ、１７ｉ→１７ｊ→…→１７ｍ方向に順次カスケードに流れてゆき、最下流の端面板１８で形成される室（収容ユニット）まで流れてゆく。
【００４８】
各仕切り板１７の頂部縁１７４には、図７（Ｃ）に示すように、液面高さ調整用の切欠き１７５が設けられている。このように切欠き１７５を設けると、着色焔用燃料が隣接する下流側の収容ユニットに流れる際の流路が形成されると共に、個別収容ユニットの着色焔用燃料の収容量を調整できる。そこで、切欠き１７５の切欠き深さを調整することで、各収容ユニットの着色焔用燃料の収容量を調整して、燃焼時間にばらつきが生じないようにできる。
【００４９】
図８は、本発明の第３の実施形態を説明する着色焔発生装置の全体構成図で、（Ａ）は正面図、（Ｂ）は図８（Ａ）の灯火保持縦棒６０が単体の場合を表している。ここでは、アーチ状に湾曲しているベース部材５０に対して、数本の灯火保持縦棒６０ａ〜６０ｉを着色焔の幅から定まる取付間隔で取り付ける。この取付間隔は、各着色焔の幅よりも若干大きい程度でよく、観客から隣接する着色焔間で過大な隙間が空いていると感じない程度の幅とするのがよい。
【００５０】
灯火保持縦棒６０には、演出として虹色を着色焔にて表現する為、収容ユニット７０が６段装着されており、演出の都合で左右に各３段の所定間隔で装着される。各段の収容ユニット７０で発生する着色焔を７２ａ、７２ｂ、７２ｃ、７２ｄ、７２ｅ、７２ｆで表す。最上段の収容ユニット７０は赤色の焔７２ａ、第２段の収容ユニット７０は橙色の焔７２ｂ、第３段の収容ユニット７０は黄色の焔７２ｃ、第４段の収容ユニット７０は緑色の焔７２ｄ、第５段の収容ユニット７０は青色の焔７２ｅ、第６段の収容ユニット７０は紫色の焔７２ｆを発生する。各段の収容ユニット７０の取付間隔は、各着色焔の高さよりも若干大きい程度でよく、観客から隣接する着色焔間で過大な隙間が空いていると感じない程度の幅とするのがよい。
【００５１】
なお、単純に灯火保持縦棒６０をベース部材５０に装着したのでは、強度や姿勢の安定性に不安のある場合には、別途補強の為の筋交い部材や姿勢安定の為の支えを装着するとよい。また、収容ユニット７０は着色焔用燃料が蒸発するのを防止するため、図５（Ｂ）に示すような蓋付きのものがよく、あるいは耐熱性のビン容器に芯と着脱自在の蓋としてのキャップを設けたものでもよい。
【００５２】
このように構成された着色焔発生装置の使用手順を説明する。図９は、図８の着色焔発生装置の使用手順を説明する流れ図である。まず、着色焔発生装置を屋外催事会場や室内イベント会場に設置する（Ｓ１１０）。他方、演出者が着色焔により発生させる色彩配置を定めてある（Ｓ１３０）。そこで、Ｓ１３０で定められた所定の色彩配置を形成するように、収容ユニット７０に用いる着色焔用燃料の色味を、灯火保持縦棒６０の段位置及び各灯火保持縦棒６０ａ〜６０ｉのベース部材５０での装着位置に応じて選択する（Ｓ１３２）。
【００５３】
そして、作業者は、Ｓ１３２の選択に応じた色味の着色焔用燃料を有する収容ユニット７０を選択して、灯火保持縦棒６０の段位置及び各灯火保持縦棒６０ａ〜６０ｉのベース部材５０での装着位置から定まる装着位置に、収容ユニット７０を取り付ける（Ｓ１１２）。例えば、虹色を表現する場合には、赤、橙、黄、緑、青、紫に対応する着色焔用燃料の収容ユニット７０を、灯火保持縦棒６０の段位置に応じて供給する。そして、収容ユニット７０に供給された着色焔用燃料を点火する（Ｓ１１４）。この場合、点火を各段で同時に行うために導火線を用いると良い。そして、収容ユニット７０で生じる着色焔７２ａ〜７２ｆによって、Ｓ１３０で定められた色彩配置を表現する（Ｓ１１６）。そして、着色焔による発光を継続するか判断し（Ｓ１１８）、継続する必要がなければ、各収容ユニット７０の着色焔を消火し（Ｓ１２０）、今回の演出を終了する。
【００５４】
図１０は、本発明の第４の実施形態を説明する着色焔発生装置の全体構成図で、（Ａ）はチューリップ型、（Ｂ）は菊型を表している。チューリップ型では、ベース部５２、茎部６２、葉部６４、６５、花部６６を有している。チューリップ型では、ベース部５２から左右２方向に正面葉部６４ａ、６４ｂと背面葉部６５ａ、６５ｂが斜め上方向に形成されている。各葉部６４ａ、６４ｂ、６５ａ、６５ｂには、収容ユニット７０２が適宜の間隔で装着されている。収容ユニット７０２には、緑色焔７２２ａ、７２２ｂを発生するように、着色焔用燃料としてアルコールに塩化バリウムを炎色剤として添加した物を用いる。収容ユニット７０２は、各葉部６４ａ、６４ｂ、６５ａ、６５ｂでの位置、即ち葉の根元部分、中央部分、葉先部分に応じて、緑色焔７２２ａ、７２２ｂの大きさを調整するとよい。例えば、葉の根元部分と葉先部分では小さな緑色焔の収容ユニット７０２を用い、葉の中央部分では大きな緑色焔の収容ユニット７０２を用いる。なお、葉部６４、６５は左右方向に加えて、前後方向など適宜の方向に設けてよい。
【００５５】
花部６６は、茎部６２の先端部分設けられるもので、例えば円環状の収容ユニット７０４の保持ユニットとする。花部６６には、円周方向に花びらに相当する位置に収容ユニット７０４を装着する。収容ユニット７０４では、表現したい花びらの色に応じて、適宜の着色焔７２４を発生させる。例えば着色焔７２４が赤色であれば、着色焔用燃料としてメチルアルコールに塩化リチウム（又は塩化ストロンチウム）を炎色剤として添加した物を用いる。着色焔７２４が橙色焔であれば、アルコールに塩化カルシウムを炎色剤として添加した物を用いる。着色焔７２４が黄色焔であれば、アルコールに食塩を炎色剤として添加した物を用いる。着色焔７２４が青色焔であれば、アルコールに酸化第二銅を炎色剤として添加した物を用いる。このようにして、各種色彩のチューリップ型の着色焔発生装置が提供できる。
【００５６】
菊型では、ベース部５４、茎部６４、葉部６７、花部６８を有している。菊型では、葉部６７が左右の方向に茎部６４の適宜の位置から斜め上方向に形成されている。葉部６７は、ここではベース部５４に近い側から花部６８に向かって、６７ａ、６７ｂ、６７ｃ、６７ｄ、６７ｅ、６７ｆの６段設けられている。そして、各段の葉部６７ａ、…、６７ｆには、収容ユニット７０６が適宜の間隔で装着されている。収容ユニット７０６には、緑色焔７２６を発生するように、着色焔用燃料としてアルコールに塩化バリウムを炎色剤として添加した物を用いる。なお、収容ユニット７０６と緑色焔７２６の説明では、各段の葉部６７ａ、…、６７ｆに応じて収容ユニット７０６ａ、…、７０６ｆと緑色焔７２６ａ、…、７２６ｆと英文字ａ、…、ｆの添え字をつけて図面を参照する。
【００５７】
花部６８は、茎部６４の先端部分設けられるもので、例えば円環状の収容ユニット７０８の保持ユニットとする。花部６８には、円周方向に菊の個別花の集合体に相当する位置に収容ユニット７０８を装着する。収容ユニット７０８では、表現したい菊の個別花の集合体の色に応じて、適宜の着色焔７２８を発生させる。着色焔７２８の色彩に応じた着色焔用燃料の選定は、上述のチューリップ型と同様である。また、菊の場合には各葉部６７に花の集合体が咲く場合もあるが、このような小菊を表現する場合には、各葉部６７の適宜の位置に収容ユニットを装着する。また、菊として大型の一輪差型の場合には、円環状の収容ユニット７０８の保持ユニットを円周方向に多重に形成してもよい。さらに、小菊を多数集めて、中央に多数の花部６８を表現し、その花部の周囲となる根元に葉部を配置した表現とする場合には、それに応じた着色焔の収容ユニットを配置するとよい。
【００５８】
なお、上記第１の実施の形態では、着色焔用燃料の収容ユニット３０を個別に各段の燃料保持棒１０に装着する場合を示した。しかし、室内用の着色焔発生装置として、燃料保持棒１０の長さＬが小さくなる関係で、燃料保持棒１０に穴あけ加工を加えて、着色焔用燃料を収容する凹部を形成する第５の実施の形態が考えられる。加工手順は、例えば以下のようになる。
（１）着色焔用燃料の収容量から定まる凹部の容積を決定し、この容積を実現する凹部の形状を定める。
（２）燃料保持棒１０の長手方向で、（１）に基づく凹部を形成する位置を定める。
（３）燃料保持棒１０の長手方向に、（２）に基づく凹部を穴あけ加工する。
（４）燃料保持棒１０を、所定形状のアーチ形状となるように曲げ加工する。
なお、凹部を設けただけでは、着色焔用燃料が蒸発して、室内用の着色焔発生装置として好ましくないことも考えられる。そこで、凹部に蒸発防止用の蓋を設けると共に、燃焼を行う芯を個別に設けるとよい。
【００５９】
また室内用の着色焔発生装置として、第６の実施の形態も考えられる。即ち、第１の実施形態に倣って着色焔用燃料の収容ユニット３０を個別に形成して、燃料保持棒１０に装着する構造としても良い。この場合には、着色焔用燃料の収容ユニット３０は、図２に示すような半球形の容器に限定されるものではなく、例えば箱型のような矩形容器を用いても良い。また、着色焔用燃料の収容ユニット３０を燃料保持棒１０に装着する際に、隣接する収容ユニット３０で着色焔用燃料が融通されるような溝を設けると、着色焔用燃料の供給が簡便に行える。
【００６０】
また、上記第１の実施の形態では、図４において、帯状に虹色に対応する着色焔を発生させる場合を例示して説明したが、本発明はこれに限定されるものではない。例えば、燃料保持棒の段位置、及び燃料保持棒の長手方向の位置に応じて、異なる色味の着色焔用燃料を供給することで、演出者が自由な発想で色模様を発案しても、これに対応する色模様の段位置と長手方向位置の各収容ユニットに対する対応する着色焔用燃料を用いて、自由な色模様に対応する着色焔発生が自在に模様表現できる。
【図面の簡単な説明】
【００６１】
【図１】本発明の第１の実施形態を説明する着色焔発生装置の全体構成図である。
【図２】着色焔用燃料の収容ユニットを説明する斜視図である。
【図３】ある燃料保持棒に収容ユニットが装着された状態を説明する斜視図である。
【図４】図１の装置の使用状態を説明する全体構成図である。
【図５】着色焔用燃料の収容ユニットで発生する着色焔の説明図である。
【図６】着色焔発生装置の使用手順を説明する流れ図である。
【図７】本発明の第２の実施形態を説明する要部構成図である。
【図８】本発明の第３の実施形態を説明する着色焔発生装置の全体構成図である。
【図９】図８の着色焔発生装置の使用手順を説明する流れ図である。
【図１０】本発明の第４の実施形態を説明する着色焔発生装置の全体構成図である。
【符号の説明】
【００６２】
１０、１０ａ、１０ｂ、１０ｃ、１０ｄ、１０ｅ、１０ｆ  燃料保持棒
１２  着色焔
１７  仕切り板
２０  保持部材
３０  収容ユニット
３１  容器部
３３  装着部
４０  導火線
５０、５２、５４  ベース部材
６０、６０ａ〜６０ｉ  灯火保持縦棒
６２、６４  茎部
６４、６５、６７  葉部
６６、６８  花部
７０、７０２、７０４、７０６、７０８  収容ユニット
７２、７２２、７２４、７２６、７２８  着色焔
ｄ  燃料保持棒の保持間隔
ｈｆ  着色焔の高さ
ｈ０  着色焔の未形成高さ
【図１】
2006300379.tif 000003
【図２】
2006300379.tif 000004
【図３】
2006300379.tif 000005
【図４】
2006300379.tif 000006
【図５】
2006300379.tif 000007
【図６】
2006300379.tif 000008
【図７】
2006300379.tif 000009
【図８】
2006300379.tif 000010
【図９】
2006300379.tif 000011
【図１０】
2006300379.tif 000012